(57)【特許請求の範囲】
【請求項１】
外蓋と内蓋とを組み合わせてなるＣＲ機構を具備する安全キャップであって、
内蓋は、容器口部の口上面を覆う天板部と、該天板部の周縁から下方に延設された周壁部とを備え、該周壁部の内周面に、容器口部の外周面に形成された雄ねじ山に螺合する雌ねじ山が形成され、締め込み完了位置では前記天板部の下面が容器口部の口上面に圧接されるとともに前記雌ねじ山の上側フランクが前記雄ねじ山の下側フランクに圧接され、
外蓋は、付勢手段によって内蓋に対して上方位置に付勢され、該付勢力に抗して外蓋を下方に押し下げることにより外蓋と内蓋とが一体回転するように係合し、さらに、前記上方位置にある外蓋を締め込み方向に回転させるときは内蓋を締め込み方向に回転させるよう内蓋に係合するが、前記上方位置にある外蓋を取り外し方向に回転させるときは内蓋に対して摺動回転するものにおいて、
前記天板部の下面が容器口部の口上面に圧接される前記締め込み完了位置で、前記雌ねじ山の長手方向中途部から上部側では雌ねじ山の下側フランクが前記雄ねじ山の上側フランクに圧接する一方、前記中途部より下部側では雌ねじ山の下側フランクと前記雄ねじ山の上側フランクとの間に隙間を有するように、前記中途部より下部側の前記雌ねじ山の幅が前記中途部から上部側に比して小さくなされていることを特徴とするＣＲ機構を具備する安全キャップ。
【請求項２】
前記締め込み完了位置で、前記中途部は、前記雄ねじ山の上端側終端部近傍の下側フランクに係合することを特徴とする請求項１に記載のＣＲ機構を具備する安全キャップ。
【請求項３】
前記締め込み完了位置における前記雄ねじ山の下側フランクと前記雌ねじ山の上側フランクとの螺合範囲の中心角は３６０°未満であり、これにより前記雌ねじ山の長手方向中途部が前記雄ねじ山の上端側終端部近傍に係合する前の締め込み途中では前記雌ねじ山は前記雄ねじ山に対して遊びを有することを特徴とする請求項２に記載のＣＲ機構を具備する安全キャップ。
【請求項４】
前記締め込み完了位置における前記雄ねじ山の下側フランクと前記雌ねじ山の上側フランクとの接触抵抗と、前記雄ねじ山の上側フランクと前記雌ねじ山の長手方向中途部から上部側の下側フランクとの接触抵抗との和が、前記上方位置にある外蓋を取り外し方向に回転させたときの内蓋に対する摺動摩擦力よりも大きいことを特徴とする請求項１，２又は３に記載のＣＲ機構を具備する安全キャップ。
【発明の詳細な説明】
【技術分野】
【０００１】
本発明は、ガラス瓶などの容器の口部を密封するためのキャップに関し、特にＣＲ容器（チャイルドレジスタンス容器）用のプッシュ・アンド・ターン式の安全キャップとして好適に用いることができるものに関する。
【背景技術】
【０００２】
従来より、子どもの誤飲防止対策を施した水薬用のＣＲ機構を具備する安全キャップとして、例えば下記の特許文献１に開示されたものが知られている。この従来の安全キャップは、外蓋と、該外蓋内に収容された内蓋との組み合わせからなる。
【０００３】
内蓋は、ガラス瓶（容器）口部の口上面を覆う天板部と、該天板部の周縁から下方に延設された周壁部とを備え、該周壁部の内周面に、容器口部の外周面に形成された雄ねじ山に螺合する雌ねじ山が形成され、締め込み完了位置では前記天板部の下面が容器口部の口上面に圧接されるとともに前記雌ねじ山の上側フランクが前記雄ねじ山の下側フランクに圧接される。
【０００４】
外蓋は、弾性隔離係合片（付勢手段）によって内蓋に対して上方位置に付勢され、該付勢力に抗して外蓋を下方に押し下げることにより外蓋と内蓋とが一体回転するように係合する。さらに、外蓋は、前記上方位置にある外蓋を締め込み方向に回転させるときは内蓋を締め込み方向に回転させるよう内蓋に係合するが、前記上方位置にある外蓋を取り外し方向に回転させるときは内蓋に対して摺動回転する。
【０００５】
したがって、安全キャップを容器口部に被せた後、外蓋を締め込み方向に回転させることによって内蓋も容器口部に対して締め込み方向に回転させられ、これにより容易に内蓋を締め込み完了位置まで締め込み螺着することができる。
【０００６】
一方、外蓋は弾性隔離係合片によって上方位置に付勢されているため、単に外蓋を取り外し方向に回転操作するのみでは内蓋を取り外し方向に回転させることができず、これにより子どもの誤飲防止対策が講じられている。
【先行技術文献】
【特許文献】
【０００７】
【特許文献１】特開２０１２−２０６７３０号公報
【発明の概要】
【発明が解決しようとする課題】
【０００８】
上記従来のＣＲ機構を具備する安全キャップでは、弾性隔離係合片によるラチェット機構の構造上、容器口部に螺着された安全キャップの外蓋を取り外し方向に回転操作すると弾性隔離係合片が内蓋側の一方向係合凸部を乗り越える際に「パチッ」という音を生じるが、この音を面白がって子どもが外蓋を取り外し方向に回し続けた場合などに、外蓋と内蓋との摺動摩擦力によって内蓋が供回りして、容器口部から外れてしまうことがある。
【０００９】
特に、ガラス瓶は口部外周の雄ねじ山の成形精度が樹脂成形品に比して悪く、個体によってねじ山相互の遊びが大きく、キャップの締め付け完了時においても十分な摩擦抵抗力が生じないことがある。
【００１０】
一方、このような供回りを防止する目的で雄ねじ山と雌ねじ山との係合摩擦力を強くするよう内蓋の雌ねじ山の幅を広くすると、安全キャップの装着時の回転操作抵抗力も大きくなり、適正な締め込み完了位置まで締め込むことなく締め込み操作を終えてしまうことがあり、この場合、容器口部の口上面のシール性が確保されず、容器の気密性を損なうおそれがある。
【課題を解決するための手段】
【００１１】
本発明は、容器口部の口上面を覆う天板部と、該天板部の周縁から下方に延設された周壁部とを備え、該周壁部の内周面に、容器口部の外周面に形成された雄ねじ山に螺合する雌ねじ山が形成され、締め込み完了位置では前記天板部の下面が容器口部の口上面に圧接されるとともに前記雌ねじ山の上側フランクが前記雄ねじ山の下側フランクに圧接される容器のキャップにおいて、前記締め込み完了位置で、前記雌ねじ山の長手方向中途部から上部側では雌ねじ山の下側フランクが前記雄ねじ山の上側フランクに圧接する一方、前記中途部より下部側では雌ねじ山の下側フランクと前記雄ねじ山の上側フランクとの間に隙間を有するように、前記中途部より下部側の前記雌ねじ山の幅が前記中途部から上部側に比して小さくなされていることを特徴とするものである。
【００１２】
かかる本発明の容器のキャップによれば、雌ねじ山の長手方向中途部より下部側の雌ねじ山の幅が比較的小さくなされているので、容器口部に対するキャップの締め込み操作初期段階では、キャップの雌ねじ山の下端側終端部から容器口部の雄ねじ山に係合していくが、かかる雌ねじ山の下部側は幅が小さいため雄ねじ山に対する遊びが大きく、したがって大きな摩擦抵抗力は生じないため、スムースにキャップを締め込んでいくことができる。そして、雌ねじ山の前記中途部の上側フランクが雄ねじ山の下側フランクに係合することで、雄ねじ山に対する上記遊びが殆どなくなり、締め込み完了位置まで締め込まれると雌ねじ山の上側フランクが雄ねじ山の下側フランクに圧接されるとともに、雌ねじ山の長手方向中途部から上部側の下側フランクが雄ねじ山の上側フランクに圧接されて、容器口部の雄ねじ山を上下から挟み込むようになって、締め込み完了位置におけるこれらねじ山間の接触部の摩擦抵抗力を増大させることができる。さらに、雌ねじ山の前記中途部から下部側の幅を小さくしたことにより、すべて同じ幅にしたものと比較すると、雌ねじ全体の軸方向長さを小さくしつつ雌ねじ山の全長（螺旋長）を大きくすることができ、キャップの小型化を図りつつもねじ係合範囲の中心角をより大きくすることができる。
【００１３】
好ましくは、前記締め込み完了位置で、前記中途部は、前記雄ねじ山の上端側終端部近傍の下側フランクに係合する。これによれば、雌ねじ山の幅広部分（中途部から上部側）を容器口部の雄ねじのねじ溝に深く係合させる必要がなく、締め込み操作時に比較的大きな回転操作抵抗力を感じた位置から僅かな回転操作量で締め込み完了位置まで締め込み操作することができ、適正な締め込み完了位置まで締め込むことなく締め込み操作を終えてしまうことを低減できる。
【００１４】
また、前記締め込み完了位置における前記雄ねじ山の下側フランクと前記雌ねじ山の上側フランクとの係合範囲の中心角は３６０°未満であり、これにより前記雌ねじ山の長手方向中途部が前記雄ねじ山の上端側終端部近傍に係合する前の締め込み途中では前記雌ねじ山は前記雄ねじ山に対して遊びを有するものとすることができる。これによれば、雄ねじ山の下側フランクに対して螺合しない角度範囲が存在し、これにより螺合しない部位が容器口部側に僅かに移動するか或いは容器口部に対して僅かに傾斜することが許容され、かかる僅かな移動や傾斜によって、雌ねじ山の長手方向中途部から上部側が雄ねじ山の上側フランク上に乗っていても、雌ねじ山の長手方向中途部が雄ねじ山の上端側終端部近傍に係合する前の締め込み途中において雌ねじ山と雄ねじ山との間に遊びが生じ、スムースにキャップを締め込んでいくことができるようになる。
【００１５】
好ましくは、本発明は、外蓋と内蓋とを組み合わせてなるＣＲ機構を具備する安全キャップとして好適に実施できる。この場合、内蓋に、上記天板部と、上記雌ねじ山を有する周壁部とを具備させることができる。また、外蓋は、付勢手段によって内蓋に対して上方位置に付勢され、該付勢力に抗して外蓋を下方に押し下げることにより外蓋と内蓋とが一体回転するように係合し、さらに、前記上方位置にある外蓋を締め込み方向に回転させるときは内蓋を締め込み方向に回転させるよう内蓋に係合するが、前記上方位置にある外蓋を取り外し方向に回転させるときは内蓋に対して摺動回転するものであってよい。
【００１６】
これによれば、締め込み完了位置における前記雄ねじ山の下側フランクと前記雌ねじ山の上側フランクとの接触抵抗と、前記雄ねじ山の上側フランクと前記雌ねじ山の長手方向中途部から上部側の下側フランクとの接触抵抗との和を、前記上方位置にある外蓋を取り外し方向に回転させたときの内蓋に対する摺動摩擦力よりも大きくすることができ、これにより締め込み完了後に外蓋を取り外し方向に回転操作しても内蓋が供回りして口部から外れることがなく、誤飲事故から子どもを守ることができる。
【００１７】
なお、本発明において、雄ねじ山と雌ねじ山との接触態様は、面接触であってもよいし、ねじ山の長手方向（すなわち、ねじの螺旋方向）に沿って延びる線接触であってもよいし、また、容器口部の成形精度等によっては、ねじ山の長手方向のすべての部位において接触している必要はない。
【発明の効果】
【００１８】
本発明によれば、スムースに締め込み完了位置まで回転操作できるものでありながら、締め込み完了位置で十分な摩擦抵抗力を生じさせ、これによりキャップの外れを防止することができる。特に、ＣＲ機構を具備する安全キャップとして実施することにより、子どもの誤飲事故を一層低減させることができる。
【図面の簡単な説明】
【００１９】
【図１】本発明の一実施形態に係る安全キャップを有するＣＲ容器の分解縦断面図である。
【図２】同ＣＲ容器のガラス瓶の斜視図である。
【図３】同ＣＲ容器の安全キャップの内蓋の斜視図である。
【図４】同ＣＲ容器の安全キャップの外蓋の縦断面斜視図である。
【図５】同ＣＲ容器の口部の拡大縦断面斜視図である。
【図６】同ＣＲ容器において締め込み完了位置の安全キャップとガラス瓶口部との関係を示す拡大正面図である。
【図７】本発明の別の実施形態に係る安全キャップを有するＣＲ容器の縦断面図である。
【図８】（ａ）は別の実施形態に係る安全キャップの外蓋の底面側斜視図、（ｂ）は同安全キャップの内蓋の平面側斜視図である。
【発明を実施するための形態】
【００２０】
以下、本発明の好適な実施形態を図面に基づいて説明する。
【００２１】
図１〜図６は本発明の一実施形態に係る安全キャップ１を有するＣＲ容器を示し、該ＣＲ容器は、薬剤を収容するガラス瓶２（容器）と、該ガラス瓶２の口部２ａに着脱自在に装着される安全キャップ１とを備えている。
【００２２】
ガラス瓶２は従来周知のものであって、その口部２ａの外周面には雄ねじ山３が形成されている。なお、図２にも示すように、雄ねじ山３は一周強の範囲にわたって形成されており、かかる雄ねじの山数は図２における手前側で２山、口部２ａの裏面側では１山となっている。また、雄ねじ山３よりも下側で口部２ａの外周面には、雄ねじ山３よりも大径のフランジ２ｂが設けられている。
【００２３】
安全キャップ１は、内蓋４を外蓋５の内部に収容してなり、内蓋４及び外蓋５はプラスチック成形品である。
【００２４】
内蓋４は、図３にも示すように、ガラス瓶２の口部２ａの口上面を覆う円板状の天板部４ａと、該天板部４ａの周縁から下方に延設された円筒状の周壁部４ｂと、天板部４ａの周縁の周方向所定部位から上方に延設された係合凸部４ｃと、天板部４ａの上面に設けられた一方向係合段部４ｄとを備えている。係合凸部４ｃ及び係合段部４ｄは周方向３箇所に設けられている。各係合凸部４ｃの周方向両端にはほぼ垂直な係合面が形成されている。各係合段部４ｄは、天板部４ａの上面に突設されたハードル部６の周方向の一側面により構成されており、該係合段部４ｄはほぼ垂直な面に形成され、この係合段部４ｄに後述する弾性係合片５ｃの先端部が係合することによって外蓋５とともに内蓋４を締め込み方向に回転操作可能になる。一方、ハードル部６の周方向の他側には傾斜面７が形成されており、上方位置にある外蓋５を取り外し方向に回転操作したときは弾性係合片がハードル部６を乗り越えて、係合段部４ｄを通過するときに弾性係合片５ｃが自身の弾性復元力によって天板部４ａに打ち付けられて「パチン」と音がするようになっている。
【００２５】
内蓋４の周壁部４ｂの内周面には、図１及び図５に示すように、口部２ａの外周面に形成された雄ねじ山３に螺合する雌ねじ山８が形成されている。口部２ａに対する内蓋４の締め込み完了位置では、図６に示すように、天板部４ａの下面が口部２ａの口上面に圧接されるとともに雌ねじ山８の上側フランクが雄ねじ山３の下側フランクに圧接される。これら圧接力は、内蓋４の締め込みトルクが大きいほど大きくなる。なお、図６においては、内蓋４の雌ねじ山８と口部２ａの雄ねじ山３との係合状態を分かりやすく示すために、内蓋４の主要部を仮想線で図示している。
【００２６】
また、上記締め込み完了位置で、雌ねじ山８の長手方向中途部８Ａ（図６に白丸で示す部分）から上部側（図６において一点鎖線の楕円で囲んだ部位）では雌ねじ山８の下側フランクが雄ねじ山３の上側フランクに圧接する一方、上記中途部８Ａより下部側では雌ねじ山８の下側フランクと雄ねじ山３の上側フランクとの間に隙間を有するように、上記中途部８Ａより下部側の雌ねじ山の幅Ｗ１が前記中途部から上部側の幅Ｗ２に比して小さくなされている。
【００２７】
さらに、締め込み完了位置で、上記中途部８Ａは、雄ねじ山３の上端側終端部近傍３Ａ（図６に黒丸で示す部分）の下側フランクに下方から係合する。この締め込み完了位置における雄ねじ山３の下側フランクと雌ねじ山８の上側フランクとの係合範囲（雄ねじ山３の黒丸３Ａで示す部位から黒丸３Ｂで示す部位までの角度）の中心角は３６０°未満である。雌ねじ山８の長手方向中途部８Ａが雄ねじ山３の上端側終端部近傍３Ａに係合する前の締め込み途中では、上記中途部８Ａの下側フランクが雄ねじ山３の上側フランクに当接するものの、中途部８Ａの上側フランクが雄ねじ山３の下側フランクに当接していないため、中途部８Ａから上部側の幅広部は僅かに雄ねじ山３に対して上方に移動可能であり、さらに、上記のように雄ねじ山３の下側フランクと雌ねじ山８の上側フランクとが係合しない角度範囲を設けたことも相俟って、上記締め込み途中において雌ねじ山８と雄ねじ山３との間に若干の遊びを生じさせることができる。この遊びを有することにより、大きな抵抗力を生じることなく内蓋４を締め込み完了位置の直前まで円滑に締め込んでいくことができる。そして、最後に上記中途部８Ａを雄ねじ山３の上端側終端部近傍３Ａの下側フランクに係合させることにより、雌ねじ山８の雄ねじ山３に対する係合状態が適正なものとなり、雄ねじ山３を雌ねじ山８間のねじ溝部に挟み込むことで、上記遊びが解消されるとともに、上下フランクにおいて雄ねじ山３と雌ねじ山８とが圧接されて大きな摩擦抵抗力を生じさせることができ、これにより内蓋４の緩みを防止できる。
【００２８】
なお、内蓋４の周壁部４ｂの下端部には、周壁部４ｂよりも内径の大きなスカート部９が連設されており、締め付け完了状態においてスカート部９は口部２ａ外周のフランジ部２ｂの外周を覆う。また、内蓋４の天板部４ａの下面側にはパッキン１０が収容されており、天板部４ａの下面はパッキン１０を介して口部２ａの口上面に圧接されるようになっている。
【００２９】
外蓋５は、図４にも示すように、円板状の天板部５ａと、該天板部５ａの周縁から下方に延設された円筒状の周壁部５ｂと、天板部５ａから斜め下方に突設された３つの弾性係合片５ｃ（付勢手段）と、天板部５ａの下面の外周縁近傍に設けた３つの係合凸部５ｄとを備えている。上記内蓋４は図５に示すように外蓋５内に収容され、この状態で外蓋５は内蓋４に対して軸方向に移動可能である。上記弾性係合片５ｃの先端部（下端部）は天板部５ａの上面に当接され、該弾性係合片５ｃの付勢力によって外蓋５は内蓋４に対して図５に示す上方位置に付勢されている。外蓋５を弾性係合片５ｃの付勢力に抗して下方に押し込むと、内蓋４の係合凸部４ｃと外蓋５の係合凸部５ｄとが周方向に係合して、外蓋５の回転操作によって内蓋４を一体的に回転させることができるようになっている。なお、上方位置にあるときは係合凸部４ｃ，５ｄの係合は解除される。
【００３０】
本発明は上記実施形態に限定されるものではなく適宜設計変更できる。例えば、安全キャップのＣＲ機構は上記実施形態のものに限定されるものではなく、図７及び図８に示すように、周壁部４ｂ，５ｂ間に一方向係合片４ｄ，５ｃを設けた構成とすることもできる。この場合、係合片５ｃとは別に、天板部５ａの下面に弾性付勢用突起５ｅ（付勢手段）を設けることができる。
【図１】
0006491027.tif 000002
【図２】
0006491027.tif 000003
【図３】
0006491027.tif 000004
【図４】
0006491027.tif 000005
【図５】
0006491027.tif 000006
【図６】
0006491027.tif 000007
【図７】
0006491027.tif 000008
【図８】
0006491027.tif 000009